(57)【要約】【課題】  キャビネットの組立工程で、トップカバーの側板の下端に備わっているリブが、リアパネルの側部突片の上端に引掛かるという事態を防いでキャビネットの組立性を高める。【解決手段】  フロントパネル４とトップカバー３と矩形のリアパネル２とを備える。トップカバー３の側板３２に内側から重なり合う側部突片２１とトップカバー３の天板３１に内側から重なり合う上部突片２２とをリアパネル２に折曲げ形成する。リアパネル２にビス止めされたビス止め片３３，３４がトップカバー３に折曲げ形成されている。トップカバー３の側板３２の下端に内向きのリブ３５を折曲げ形成してある。リアパネル２の側部突片２１に呼込みガイド片６を連設することによって、組付け工程でトップカバー３のリブ３５が側部突片２１に引掛かることを防ぐ。【選択図】        図１
0003125382.tif 000002
【実用新案登録請求の範囲】
【請求項１】
フロントパネルと板金製のトップカバーと板金製の矩形のリアパネルとを備え、トップカバーの側板に内側から重なり合う側部突片とトップカバーの天板に内側から重なり合う上部突片とが上記リアパネルに折曲げ形成され、そのリアパネルに重なり合ってそのリアパネルにビス止めされたビス止め片が上記トップカバーに折曲げ形成されていると共に、そのトップカバーの側板の下端に内向きのリブが折曲げ形成されている電気機器キャビネットにおいて、
フロントパネルに係合させたトップカバーの前端を支点としてそのトップカバーの後端を押し下げることによってリアパネルにトップカバーを被せる組付け工程でトップカバーの上記リブの端縁を滑らせてリアパネルの上記側部突片の表面に乗り移らせる外下がりの呼込みガイド片を、その側部突片の上端に折曲げ形成して連設してあると共に、その呼込みガイド片の上側に、リアパネルの上記上部突片の端部から延び出た外下がりの傾斜片が位置していることを特徴とする電気機器キャビネット。
【請求項２】
板金製のトップカバーと板金製の矩形のリアパネルとを備え、トップカバーの側板に内側から重なり合う側部突片とトップカバーの天板に内側から重なり合う上部突片とが上記リアパネルに折曲げ形成され、そのリアパネルに重なり合ってそのリアパネルにビス止めされたビス止め片が上記トップカバーに折曲げ形成されていると共に、そのトップカバーの側板の下端に内向きのリブが折曲げ形成されている電気機器キャビネットにおいて、
リアパネルにトップカバーを被せる組付け工程でトップカバーの上記リブの端縁を滑らせてリアパネルの上記側部突片の表面に乗り移らせる呼込みガイド片を、その側部突片の上端に折曲げ形成して連設してあることを特徴とする電気機器キャビネット。
【請求項３】
上記呼込みガイド片が外下がりに傾斜している請求項２に記載した電気機器キャビネット。
【請求項４】
上記呼込みガイド片の上側に、リアパネルの上記上部突片の端部から延び出た外下がりの傾斜片が位置している請求項２又は請求項３に記載した電気機器キャビネット。
【請求項５】
上記呼込みガイド片が外下がりに傾斜して上記傾斜片の裏面に重なり合っている請求項４に記載した電気機器キャビネット。
【請求項６】
リアパネルの上記上部突片の端部を欠除し、外下がりに傾斜している上記呼込みガイド片の先端に、上記上部突片の欠除箇所に延び出た延出片部が連設されている請求項３に記載した電気機器キャビネット。
【考案の詳細な説明】
【技術分野】
【０００１】
本考案は、電気機器キャビネット、特に、リアパネルにトップカバーを被せる組付け工程でリアパネルにトップカバーが引掛かってその組立性が損なわれることを抑制するための対策を講じた電気機器キャビネットに関する。
【背景技術】
【０００２】
図４は上記組付け工程を経て組み立てられる電気機器キャビネット、具体的にはＤＶＤ装置のキャビネットの斜視図、図５は同キャビネットのリアパネル２やトップカバー３などを示した分解斜視図、図６は組立工程の途中段階を示した概略側面図である。
【０００３】
図４のキャビネットは横長で偏平な箱形に形成されていて、ボトムシャーシ１と、ボトムシャーシ１の後端部に固定されて垂直に立ち上げられたリアパネル２と、リアパネル２に被せられたトップカバー３と、ボトムシャーシ１及びトップカバー３の前端部に装着されるフロントパネル４とに分割されている。そして、図５のように、矩形のリアパネル２には、その幅方向の一方側及び他方側の各端部に前向きに突き出た側部突片２１が折曲げ形成されていると共に、その高さ方向の上端部にも前向きに突き出た上部突片２２が折曲げ形成されている。これに対し、トップカバー３は天板３１とその天板３１の幅方向（左右方向）の両端部からそれぞれ立ち下げられた側板３２，３２とを備えていて、天板３１の後端部と左右の側板３２，３２の後端部とにそれぞれビス止め片３３，３４，３４が直角に折曲げ形成されている。そして、図４に示した組立状態のキャビネットにあっては、トップカバー３のビス止め片３３，３４，３４がリアパネル２に重ね合わされてその重なり部分の適所がビス５を用いてビス止めされていると共に、リアパネル２側の上記側部突片２１がトップカバー３の側板３２に内側から重なり合い、上記上部突片２２がトップカバー３の天板３１に内側から重なり合っている。こうして組み立てられたキャビネットでは、リアパネル２側の側部突片２１や上部突片２２がトップカバー３の側板３２や天板３１を補強することに役立っている。
【０００４】
また、図５に示したように、トップカバー３には、その側板３２を補強するために、その側板３２の下端に内向き直角に折曲げ形成されたリブ３５，３５が備わっていることに加え、そのトップカバーの天板３１の前端に差込み片３６が前向きに突出されている。
【０００５】
図６に示したように、組立工程では、後端にリアパネル２が固定されたボトムシャーシの前端にフロントパネル４が装着されているものに対して、トップカバー３が組み付けられる。具体的には、同図のように、トップカバー３の差込み片３６をフロントパネル４の上端部に差し込むことによってトップカバー３の前端をフロントパネル４に係合させ、その係合箇所を支点としてそのトップカバー３の後端を矢印のように押し下げることによってリアパネル２にトップカバー３を被せるという作業が行われる。
【０００６】
図７（Ａ）は従来の電気機器キャビネットにおけるリアパネル２の要部を示した概略斜視図、同（Ｂ）は組立工程で生じることのある不具合を説明するための縦断正面図、同（Ｃ）は同（Ｂ）のＶＩＩＣ部の拡大図である。
【０００７】
図７（Ａ）のように、従来の電気機器キャビネットでは、リアパネル２に折曲げ形成されている側部突片２１の上端２１ａと上部突片２２の側端２２ａとが間隔を隔てて直角方向で対向していて、側部突片２１の上端２１ａが上方を向いてエッジ状に露出した状態になっている。このため、図６で説明したように、トップカバー３の前端をフロントパネル４に係合させ、その係合箇所を支点としてそのトップカバー３の後端を矢印のように押し下げることによってリアパネル２にトップカバー３を被せるという作業を行う途中の段階で、図７（Ａ）（Ｂ）のように、トップカバー３の側板３２の下端に内向き直角に折曲げ形成されたリブ３５が、上記したリアパネル２の側部突片２１の上端２１ａに引掛かってその組立性が損なわれることがあった。すなわち、リブ３５が上記側部突片２１の上端２１ａに引掛かかると、そのことがトップカバー３をリアパネル２に被せるときの障害になってスムーズにトップカバー３を被せられなくなる。
【０００８】
そこで、図８に示した一定の対策を講じることが試みられた。図８（Ａ）は一定の対策が講じられた電気機器キャビネットにおけるリアパネル２の要部を示した概略斜視図、同（Ｂ）は一定の対策を講じたにもかかわらず、組立工程で生じることのある不具合を説明するための縦断正面図、同（Ｃ）は同（Ｂ）のＶＩＩＩＣ部の拡大図である。
【０００９】
この一定の対策は、図８（Ａ）のように、リアパネル２の上部突片２２の幅方向の端部に、外下がりに傾斜した傾斜片２３を折曲げ状態で連設し、その傾斜片２３によって側部突片２１の上端２１ａを覆わせるというものである。このような対策を講じておくと、図６で説明したようにフロントパネル４に係合させたトップカバー３の前端を支点としてそのトップカバー３の後端を矢印のように押し下げたときに、トップカバー３の側板３２の下端に内向き直角に折曲げ形成されたリブ３５が傾斜片２３の上面を滑ってリアパネル２の側部突片２１の表面に乗り移るために、リブ３５が側部突片２１の上端２１ａに引掛かってその組立性が損なわれるという事態を防止することができるとも考えられる。
【００１０】
しかしながら、リアパネル２が板金製であって、その側部突片２１の上部突片２２、さらには傾斜片２３が折曲げ形成されるものであることから、それらの仕上がり精度にむらが生じることを避けられず、そのために、上記した傾斜片２３で側部突片２１の上端２１ａが完全には覆われていないという場合も起こり得る。そして、そのような状況が行っていると、図８（Ｂ）（Ｃ）のように、トップカバー３の側板３２の下端に内向き直角に折曲げ形成されたリブ３５がリアパネル２の側部突片２１の上端２１ａに引掛かってその組立性が損なわれ、上記同様にリアパネル２にスムーズにトップカバー３を被せられなくなる。この点を回避するためには、傾斜片２３を側部突片２１の外側に突き出す程度に長くすることも考えられるけれども、そのようにすると、組立後には、傾斜片２３によってトップカバー３の側板３２の後端が外側へ押されてリアパネル２の側部突片２１から浮き上がるという事態を生じるので、キャビネットの強度面や外観面から好ましくない。
【００１１】
一方、電気機器キャビネットなどの筐体の構造に関しては、従来より種々の研究が行われている（たとえば、特許文献１、特許文献２、特許文献３、特許文献４参照）。このうち、特許文献１では、筐体のアースの確実性を高めるための対策として、導電性のパネルに具備させたコ字状溝部にトップカバーの湾曲部を弾性挿入するという技術が開示されている。また、特許文献２では、トップケース、シャーシ、リアパネル及びフロントパネルによって形成されている筐体において、ビス止め箇所の数を減らしても強度の低下を抑制することのできる対策が開示されている。さらに、特許文献３では、光ディスク記録再生装置において、ＩＣパッケージを搭載した配線基板とボトムカバーとの絶縁性を高める手段が開示されている。さらに、特許文献４では、防塵や発熱対策のためにリアカバー部の構造に工夫を講じたものが開示されている。
【特許文献１】実開平５−９０６７２号公報
【特許文献２】特開２００５−６４０８４号公報
【特許文献３】実用新案登録第３１０７７２１号公報
【特許文献４】特開平７−１１４７９０号公報
【考案の開示】
【考案が解決しようとする課題】
【００１２】
上記のように、図７を参照して説明した構造を備える従来のキャビネットでは、リブ３５が、リアパネル２の側部突片２１の上端２１ａに引掛かってその組立性が損なわれるという問題があり、図８を参照して説明した事例では、その問題を十分に解決し得るものではないという事情があった。
【００１３】
そこで、本考案は、リアパネルの側部突片に一定の対策を講じることによって、キャビネットの組立工程で、トップカバーの側板の下端に備わっているリブが、リアパネルの側部突片の上端に引掛かるという事態を確実に防ぐことが可能になって、当該キャビネットの組立性が損なわれるという事態を生じる余地のない電気機器キャビネットを提供することを目的とする。
【課題を解決するための手段】
【００１４】
本考案に係る電気機器キャビネットは、板金製のトップカバーと板金製の矩形のリアパネルとを備え、トップカバーの側板に内側から重なり合う側部突片とトップカバーの天板に内側から重なり合う上部突片とが上記リアパネルに折曲げ形成され、そのリアパネルに重なり合ってそのリアパネルにビス止めされたビス止め片が上記トップカバーに折曲げ形成されていると共に、そのトップカバーの側板の下端に内向きのリブが折曲げ形成されている。そして、リアパネルにトップカバーを被せる組付け工程でトップカバーの上記リブの端縁を滑らせてリアパネルの上記側部突片の表面に乗り移らせる呼込みガイド片を、その側部突片の上端に折曲げ形成して連設してある。
【００１５】
この構成を採用すると、リアパネルにトップカバーを被せる組付け工程で、トップカバーの側板の下端に備わっているリブがリアパネルの側部突片の上端に引掛かるという事態を生じる余地がなくなる。すなわち、リアパネルにトップカバーを被せる組付け工程では、トップカバーのリブの端縁が、リアパネルの呼込みガイド片を滑ってその側部突片の表面に乗り移るために、上記余地がなくなって、リアパネル２にスムーズにトップカバー３を被せることが可能になり、キャビネットの組立性が向上する。
【００１６】
本考案では、上記呼込みガイド片が外下がりに傾斜している、という構成を採用することが可能であり、この構成を採用しておくと、リブが呼込みガイド片に引掛かるという事態を回避することが可能になる。ここで、呼込みガイド片が外下がりに傾斜しているとは、呼込みガイド片が当該キャビネットの幅方向（左右方向）の外側に向かって下がり勾配に傾斜しているということである（以下、同じ）。
【００１７】
本考案では、上記呼込みガイド片の上側に、リアパネルの上記上部突片の端部から延び出た外下がりの傾斜片が位置していることが望ましい。これによれば、リアパネルにトップカバーを被せる組付け工程で、上記リブが傾斜片を滑り落ちて呼込みガイド片に乗り移り、さらに呼込みガイド片を滑って側部突片の表面に乗り移る。ここで、外下がりの傾斜片とは、当該キャビネットの幅方向（左右方向）の外側に向かって下がり勾配に傾斜している傾斜片ということである（以下、同じ）。
【００１８】
本考案では、上記呼込みガイド片が外下がりに傾斜して上記傾斜片の裏面に重なり合っていることが望ましい。これによれば、呼込みガイド片によって傾斜片が補強されるために、落下衝撃などによってリアパネルの上端コーナ部が変形するという事態を抑制することが可能になる。
【００１９】
本考案では、リアパネルの上記上部突片の端部を欠除し、外下がりに傾斜している上記呼込みガイド片の先端に、上記上部突片の欠除箇所に延び出た延出片部が連設されているという構成を採用することも可能であり、これによっても、リアパネルにトップカバーを被せる組付け工程で、トップカバーのリブの端縁が、リアパネルの呼込みガイド片を滑ってその側部突片の表面に乗り移るために、リブがリアパネルの側部突片の上端に引掛かるという事態を生じる余地がなくなって、リアパネル２にスムーズにトップカバー３を被せることが可能になり、キャビネットの組立性が向上する。
【００２０】
本考案では、フロントパネルと板金製のトップカバーと板金製の矩形のリアパネルとを備え、トップカバーの側板に内側から重なり合う側部突片とトップカバーの天板に内側から重なり合う上部突片とが上記リアパネルに折曲げ形成され、そのリアパネルに重なり合ってそのリアパネルにビス止めされたビス止め片が上記トップカバーに折曲げ形成されていると共に、そのトップカバーの側板の下端に内向きのリブが折曲げ形成されている電気機器キャビネットにおいて、フロントパネルに係合させたトップカバーの前端を支点としてそのトップカバーの後端を押し下げることによってリアパネルにトップカバーを被せる組付け工程でトップカバーの上記リブの端縁を滑らせてリアパネルの上記側部突片の表面に乗り移らせる外下がりの呼込みガイド片を、その側部突片の上端に折曲げ形成して連設してあると共に、その呼込みガイド片の上側に、リアパネルの上記上部突片の端部から延び出た外下がりの傾斜片が位置している、という構成を採用する事も可能である。
【考案の効果】
【００２１】
以上のように、本考案によれば、リアパネルの側部突片に一定の対策を講じることによって、キャビネットの組立工程で、トップカバーの側板の下端に備わっているリブが、リアパネルの側部突片の上端に引掛かるという事態を確実に防ぐことが可能になるので、リアパネルやトップカバーの構成に大幅な変更を加えることなく、しかも、部品を追加したりすることなく、当該キャビネットの組立性を高めることが可能になる。
【考案を実施するための最良の形態】
【００２２】
図１（Ａ）は本考案の実施形態に係る電気機器キャビネットのリアパネル２の要部を示した概略斜視図、同（Ｂ）は本考案による作用を説明するための縦断正面図、同（Ｃ）は同（Ｂ）のＩＣ部の拡大図である。
【００２３】
この実施形態の電気機器キャビネットはＤＶＤ装置のキャビネットであって、組立後の外観は図４に示したものと同様である。また、図５を参照して説明したところと同様に、このキャビネットは、ボトムシャーシ１と、ボトムシャーシ１の後端部に固定されて垂直に立ち上げられたリアパネル２と、リアパネル２に被せられたトップカバー３と、ボトムシャーシ１及びトップカバー３の前端部に装着されるフロントパネル４とに分割されている。そして、リアパネル２やトップカバー３についての基本構成も図５を参照して説明したものに準じている。すなわち、矩形のリアパネル２には、その幅方向の一方側及び他方側の各端部に前向きに突き出た側部突片２１が折曲げ形成されていると共に、その高さ方向の上端部にも前向きに突き出た上部突片２２が折曲げ形成されている。これに対し、トップカバー３は天板３１とその天板３１の幅方向（左右方向）の両端部からそれぞれ立ち下げられた側板３２，３２とを備えていて、天板３１の後端部と左右の側板３２，３２の後端部とにそれぞれビス止め片３３，３４，３４が直角に折曲げ形成されている。そして、組立状態のキャビネットにあっては、図４のように、トップカバー３のビス止め片３３，３４，３４がリアパネル２に重ね合わされてその重なり部分の適所がビス５を用いてビス止めされていると共に、リアパネル２側の上記側部突片２１がトップカバー３の側板３２に内側から重なり合い、上記上部突片２２がトップカバー３の天板３１に内側から重なり合っている。したがって、リアパネル２側の側部突片２１や上部突片２２がトップカバー３の側板３２や天板３１を補強することに役立っている。
【００２４】
また、図５を参照して説明したところと同様に、トップカバー３には、その側板３２を補強するために、その側板３２の下端に内向き直角に折曲げ形成されたリブ３５，３５が備わっていることに加え、そのトップカバーの天板３１の前端に差込み片３６が前向きに突出されている。そして、図６のように、組立工程では、後端にリアパネル２が固定されたボトムシャーシの前端にフロントパネル４が装着されているものに対して、トップカバー３が組み付けられる。具体的には、同図のように、トップカバー３の差込み片３６をフロントパネル４の上端部に差し込むことによってトップカバー３の前端をフロントパネル４に係合させ、その係合箇所を支点としてそのトップカバー３の後端を矢印のように押し下げることによってリアパネル２にトップカバー３を被せるという作業が行われる。
【００２５】
この実施形態では、図１に示したように、リアパネル２の側部突片２１の上端に、内向き直角に折曲げ形成された呼込みガイド片６を連設してある。この呼込みガイド片６は、側部突片２１の上端に内向き直角に連設されているとしても、折曲げ形成されているものであるためにその折曲げ箇所の外面が図１（Ｃ）のように湾曲面６１として形成されている。
【００２６】
このように、リアパネル２の側部突片２１の上端に呼込みガイド片６を内向き直角に折曲げ形成しておくと、側部突片２１の上端が上方を向いてエッジ状に露出した状態になっることはない。そのため、図１（Ｂ）又は同（Ｃ）のように、図６を参照して説明したように、フロントパネル４に係合させたトップカバー３の前端を支点としてそのトップカバー３の後端を矢印のように押し下げると、その作業途中の段階で、図１（Ａ）（Ｂ）のように、トップカバー３の側板３２の下端に内向き直角に折曲げ形成されたリブ３５が、リアパネル２の呼込みガイド片６の上に乗り上がったとしても、そのリブ３５が呼込みガイド片６に引掛かって作業性を低下させるという事態を生じない。すなわち、図１（Ｂ）（Ｃ）のようにリブ３５が呼込みガイド片６の上に乗り上がったとしても、そのリブ３５が呼込みガイド片６に引掛かることなく、そのリブ３５の端縁が呼込みガイド片６の表面ないし湾曲面６１を滑って側部突片２１の表面に乗り移る。したがって、トップカバー３をリアパネル２に被せる作業がスムーズに行われてキャビネットの組立性が向上する。
【００２７】
この実施形態では、図１（Ａ）（Ｂ）（Ｃ）のように、リアパネル２の上部突片２２の幅方向の端部に、外下がりに傾斜した傾斜片２３を折曲げ状態で連設し、その傾斜片２３によって側部突片２１の上端に連設されている呼込みガイド片６を覆わせてある。こうしておくと、組立工程の作業途中の段階で、リブ３５の端縁が傾斜片２３を滑り落ちて呼込みガイド片６に乗り移るようになるため、リブ３５が呼込みガイド片６に引掛かって作業性を低下させるという事態をいっそう生じなくなるという利点がある。
【００２８】
図１の事例では、呼込みガイド片６を側部突片２１の上端に内向き直角に折曲げ形成してあるけれども、この点は、図２に示した要部の拡大断面図のように、呼込みガイド片６を外下がりに傾斜させておいてもよい。こうしておくと、組立工程の途中の段階でリブ３５が呼込みガイド片６に引掛かるという事態を確実に防ぐことが可能になり、そのことが、キャビネットの組立性をいっそう向上させることに寄与する。
【００２９】
また、図２に示した呼込みガイド片６の傾斜角度θを、傾斜片２３と同一の角度に定めてその傾斜片２３の裏面に重ね合わせておくことも可能である。こうしておくと、呼込みガイド片６によって傾斜片２３が補強されるために、組立後の落下衝撃試験などによってリアパネル２の上端コーナ部が変形するという事態を抑制することが可能になるという利点がある。
【００３０】
図３（Ａ）は本考案の他の実施形態に係る電気機器キャビネットのリアパネル２の要部を示した概略斜視図、同（Ｂ）は本考案による作用を説明するための縦断正面図、同（Ｃ）は同（Ｂ）のＩＩＩＣ部の拡大図である。
【００３１】
この実施形態では、リアパネル２の上部突片２２の端部を、上記した傾斜片２３（図１、図２参照）を含めて欠除し、側部突片２１の上端に連設されて外下がりに傾斜している呼込みガイド片６の先端に、上部突片２２の欠除箇所に延び出た延出片部６２が連設されている。その他の構成は、図１について説明したところと同様である。
【００３２】
こうしておくと、組立工程の途中の段階でリブ３５が図３（Ｂ）（Ｃ）のように呼込みガイド片６の上に乗り上がったとしても、そのリブ３５が呼込みガイド片６に引掛かることなく、そのリブ３５の端縁が呼込みガイド片６の表面ないし湾曲面６１を滑って側部突片２１の表面に乗り移る。したがって、トップカバー３をリアパネル２に被せる作業がスムーズに行われてキャビネットの組立性が向上する。
【００３３】
なお、図１〜図８では、同一又は相応する部分に同一符号を付すことによって、説明を簡略化し、併せて、対応部分の関係を明確にしてある。
【図面の簡単な説明】
【００３４】
【図１】（Ａ）は本考案の実施形態に係る電気機器キャビネットのリアパネルの要部を示した概略斜視図、（Ｂ）は本考案による作用を説明するための縦断正面図、（Ｃ）は（Ｂ）のＩＣ部の拡大図である。
【図２】図１（Ｃ）に対応する変形例の要部の拡大断面図である。
【図３】（Ａ）は本考案の他の実施形態に係る電気機器キャビネットのリアパネルの要部を示した概略斜視図、（Ｂ）は本考案による作用を説明するための縦断正面図、（Ｃ）は（Ｂ）のＩＩＩＣ部の拡大図である。
【図４】組付け工程を経て組み立てられる電気機器キャビネットの外観斜視図である。
【図５】キャビネットのリアパネルやトップカバーなどを示した分解斜視図である。
【図６】組立工程の途中段階を示した概略側面図である。
【図７】（Ａ）は従来の電気機器キャビネットにおけるリアパネルの要部を示した概略斜視図、（Ｂ）は組立工程で生じることのある不具合を説明するための縦断正面図、（Ｃ）は同（Ｂ）のＶＩＩＣ部の拡大図である。
【図８】一定の対策が講じられた電気機器キャビネットにおけるリアパネルの要部を示した概略斜視図、（Ｂ）は一定の対策を講じたにもかかわらず組立工程で生じることのある不具合を説明するための縦断正面図、（Ｃ）は同（Ｂ）のＶＩＩＩＣ部の拡大図である。
【符号の説明】
【００３５】
２  リアパネル
３  トップカバー
４  フロントパネル
６  呼込みガイド片
２１  側部突片
２２  上部突片
２３  傾斜片
３１  トップカバーの天板
３２  トップカバーの側板
３３，３４  ビス止め片
３５  リブ
６２  延出片部
【図１】
0003125382.tif 000003
【図２】
0003125382.tif 000004
【図３】
0003125382.tif 000005
【図４】
0003125382.tif 000006
【図５】
0003125382.tif 000007
【図６】
0003125382.tif 000008
【図７】
0003125382.tif 000009
【図８】
0003125382.tif 000010